(57)【要約】【課題】持ち運び性に優れ、１本の内視鏡では対応しにくい場合においても円滑に内視鏡検査を行うことができる内視鏡収納ケースを提供する。【解決手段】収納ケース６には、第２の内視鏡２Ｂ及び装置本体３を収納する内視鏡装置収納空間と、第２の内視鏡２Ｂとは異なる、例えば挿入部が第２の内視鏡装置２Ｂより長い第１の内視鏡２Ａを収納する内視鏡収納空間とを形成することで、一つの収納ケース内に内視鏡装置と共に、もう１本の内視鏡を、持ち運び性を損なうことなく収納可能にした。【選択図】図１
2010022662.tif 000002
【特許請求の範囲】
【請求項１】
撮像素子が搭載された内視鏡と、該内視鏡に接続する装置本体と、を備える内視鏡装置を収納するケース本体を備えた内視鏡収納ケースにおいて、
前記内視鏡装置を装脱するための開口側を上方とした場合に、
前記ケース本体は、
前記ケース本体の開口側に形成される前記内視鏡装置を収納可能な内視鏡装置収納空間と、
前記内視鏡装置収納空間の下側に形成される前記内視鏡と交換可能な内視鏡をさらに収納可能にした内視鏡収納空間と、
を備えたことを特徴とする内視鏡収納ケース。
【請求項２】
前記内視鏡収納空間に収納される内視鏡は、
可撓性を有する第１の挿入部と、
前記第１の挿入部の後端に連設された第１の操作部と、
前記第１の操作部から延出された可撓性の第１のケーブル部と、を有する第１の内視鏡であって、
前記内視鏡装置収納空間に収納される内視鏡装置は、
可撓性を有する第２の挿入部と、
前記第２の挿入部の後端に連設された第２の操作部と、
前記第２の操作部から延出された可撓性の第２のケーブル部と、有する第２の内視鏡と、
前記第１の内視鏡又は前記第２の内視鏡が着脱自在に接続可能で、接続された内視鏡より得られた画像を表示装置に表示させる装置本体と、で構成される内視鏡装置であって、  前記ケース本体には、
前記第１の挿入部を巻回可能とする第１の巻回手段と、
前記第２の挿入部を巻回可能とする第２の巻回手段と、を備え、
前記ケース本体に対して前記第１の内視鏡及び前記第２の内視鏡を備えた前記内視鏡装置を収納する時、
前記第１の巻回手段と共に前記第１の内視鏡を前記内視鏡収納空間に収納し、
前記第２の巻回手段と共に前記第２の内視鏡と前記装置本体と前記内視鏡装置収納空間に収納することを備えたことを特徴とする請求項１に記載の内視鏡収納ケース。
【請求項３】
前記第１の内視鏡は、
該第１の内視鏡を緩衝的に保持する第１の保持部材に保持されて前記ケース本体に収納され、
前記第２の内視鏡及び前記装置本体から構成される内視鏡装置は、
前記内視鏡装置を緩衝的に保持する第２の保持部材に保持されて前記ケース本体に収納される
ことを特徴とする請求項２に記載の内視鏡収納ケース。
【請求項４】
前記第１の巻回手段は、第１のドラムであり、
前記第２の巻回手段は、第２のドラムであることを特徴とする請求項１又は２に記載の内視鏡収納ケース。
【請求項５】
前記第２の保持部材は、
前記第２の操作部の一部を緩衝的に保持する操作部保持部と、
前記装置本体を緩衝的に保持する装置本体保持部と、
前記第２のドラムを収納して保持するドラム収納部と、
を有することを特徴とする請求項４に記載の内視鏡収納ケース。
【請求項６】
前記第１の保持部材は、
前記第１の操作部を緩衝的に保持する操作部保持部と、
前記第１のドラムを緩衝的に保持するドラム保持部と、
を有することを特徴とする請求項４から５のいずれか１つに記載の内視鏡収納ケース。
【請求項７】
前記第１及び前記第２のドラムは、
前記第１及び第２の挿入部におけるそれぞれの先端部を保持する先端部保持部を有することを特徴とする請求項４から６のいずれか１つに記載の内視鏡収納ケース。
【請求項８】
前記第２の保持部材は、
前記ケース本体の前記内視鏡装置収納空間と前記内視鏡収納空間とを間仕切りする間仕切り部材を兼ねていることを特徴とする請求項２から７のいずれか１つに記載の内視鏡収納ケース。
【発明の詳細な説明】
【技術分野】
【０００１】
本発明は、内視鏡検査に使用される内視鏡装置の内視鏡の他に、使用現場又は検査環境等に応じて交換可能な内視鏡も携帯可能に収納する内視鏡収納ケースに関する。
【背景技術】
【０００２】
内視鏡は、医療用分野及び工業用分野において広く利用されている。医療用分野において使用される内視鏡は、細長な挿入部を体腔内に挿入することによって、体腔内の臓器を観察すること、或いは、必要に応じて挿入部に設けられた処置具チャンネルを介して体腔内に処置具を導入することによって各種処置や検査を行える。  
一方、工業用分野において使用される内視鏡は、細長な挿入部をジェットエンジン内、工場の配管内等に挿入することによって、被検部位の傷の有無、或いは腐蝕の有無の検査、或いは各種修理等を行える。  
工業用の内視鏡装置には、例えば先端に、撮像用のレンズ、ＣＣＤ等の撮像素子、及びＬＥＤ等の発光素子を有する撮像装置を配設した細長の挿入部を有する内視鏡と、該内視鏡が接続される装置本体とにより構成されるものがある。
【０００３】
例えば、特許文献１（特開２００４-２４４２４号公報）には光源装置、信号処理装置及びモニタの電源を乾電池や充電式電池等のバッテリを電源にして、携帯性及び作業性に優れた携帯型内視鏡装置が示されている。  
この携帯型内視鏡装置では、内視鏡及び装置本体は収納ケースに収納され、収納ケースに収納された状態のままでユーザ（使用者）によって観察場所の近くまで持ち込まれる。そして、ユーザは、収納ケースから内視鏡及び装置本体を取り出し、ベルトなどで、例えば肩に掛けて、装置本体を提げた状態で内視鏡を観察場所まで持ち運び内視鏡を用いた検査、つまり内視鏡検査を行う。  
また、特許文献２（特開平１０-２２９９６４公報）には、複数の内視鏡を収納する内視鏡収納具が開示されている。
【特許文献１】特開２００４-２４４２４号公報
【特許文献２】特開平１０-２２９９６４公報
【発明の開示】
【発明が解決しようとする課題】
【０００４】
しかしながら、ユーザは、使用現場又は検査環境等によって、１本の内視鏡のみでは対応困難な場合が発生する可能性があり、特許文献１では所望とする内視鏡検査を円滑に行えない場合があった。  
一方、特許文献２では、複数の内視鏡を携帯できるが、持ち運びが煩わしく、屋外等で内視鏡検査を行うような場合に不向きであった。  
本発明は上記事情に鑑みてなされたものであり、持ち運び性に優れ、１本の内視鏡では対応しにくい場合においても円滑に内視鏡検査を行うことができる内視鏡収納ケースを提供することを目的とする。
【課題を解決するための手段】
【０００５】
本発明の内視鏡収納ケースは、撮像素子が搭載された内視鏡と、該内視鏡に接続する装置本体と、を備える内視鏡装置を収納するケース本体を備えた内視鏡収納ケースにおいて、
前記内視鏡装置を装脱するための開口側を上方とした場合に、
前記ケース本体は、
前記ケース本体の開口側に形成される前記内視鏡装置を収納可能な内視鏡装置収納空間と、
前記内視鏡装置収納空間の下側に形成される前記内視鏡と交換可能な内視鏡をさらに収納可能にした内視鏡収納空間と、
を備えたことを特徴とする。
【発明の効果】
【０００６】
本発明によれば、持ち運び性に優れ、１本の内視鏡では対応しにくい場合においても円滑に内視鏡検査を行うことができる。
【発明を実施するための最良の形態】
【０００７】
以下、図面を参照して本発明の実施例を説明する。  
（実施例１）
図１から図１１は本発明の実施例１に係り、図１は本発明の実施例１の内視鏡収納ケースを用いた内視鏡システムの全体構成を示し、図２は第１の内視鏡の挿入部をドラムに巻回した状態を示し、図３は第１の内視鏡が保持される内視鏡保持部材を示し、図４は図２の第１の内視鏡を保持した状態の内視鏡保持部材を示し、図５は図４の第１の内視鏡を保持した内視鏡保持部材を収納した収納状態を示す。  
図６は第２の内視鏡等が保持される内視鏡装置保持部材を示し、図７は内視鏡装置本体（以下、単に装置本体と略記）を第２の内視鏡の一部と共に示し、図８は第２の内視鏡及び装置本体を保持した状態の内視鏡装置保持部材を示し、図９は図５に示す第１の内視鏡を保持した内視鏡保持部材の収納状態で、さらに図８の内視鏡装置保持部材を収納した収納状態を示し、図１０は図９の状態において、操作部保持部材とドラム保持部材を回動させた状態を示し、図１１はドラムに挿入部を巻回する様子を示す。
【０００８】
図１に示すように本発明の実施例１の内視鏡収納ケースを用いた内視鏡システム１は、第１の内視鏡２Ａ及び第２の内視鏡２Ｂと、これら内視鏡２Ａ或いは２Ｂの一方が選択的に装着される内視鏡装置本体（以下、単に装置本体と略記）３と、第１の内視鏡２Ａを緩衝的に保持する内視鏡保持部材４と、第２の内視鏡２Ｂ及び装置本体部３を緩衝的に保持する内視鏡及び装置本体の保持部材（内視鏡装置保持部材）５と、これらを収納する収納ケース６とで構成される。  
図１に示す収納ケース６は、中空の収納部７ａが設けられたケース本体７ｂと、このケース本体７ｂに対して開閉自在に設けられた蓋部材としての上蓋７ｃとを備えている。
【０００９】
この収納ケース６の収納部７ａ内には、図１及び図２に示す第１の内視鏡２Ａが、図１及び図３に示す内視鏡保持部材４によって図４に示すように保持された状態で、図５に示すように、収納ケース６内の底部側に収納される。  
そして図５に示す第１の内視鏡２Ａを保持した内視鏡保持部材４を収納した収納ケース６には、図１及び図８に示すように第２の内視鏡２Ｂ及び装置本体３が内視鏡装置保持部材５によって保持された状態で、図９に示すように収納するができる。つまり、この収納ケース６は、収納部７ａとして、上部側に形成される内視鏡装置収納空間と、下部側に形成される内視鏡収納空間を有する。  
図６は、第２の内視鏡２Ｂ等を保持しない状態での内視鏡装置保持部材５のみを示し、さらに図７は、図６の内視鏡装置保持部材５に保持される装置本体３のみを示す。
【００１０】
図２に示すように第１の内視鏡２Ａは、可撓性を有し、パイプ内部等の検査対象物に挿入される細長の挿入部１１と、この挿入部１１の後端に設けられ、ユーザが把持操作する操作部１２と、この操作部１２から延出されたユニバーサルケーブル部（ケーブル部と略記）１３とを有し、このケーブル部１３の端部には挿入部１１に搭載された撮像素子に対する信号処理を行う信号処理装置を内蔵したコネクタ１４が取り付けられている。  
なお、図１に示す操作部１２の前端付近には、処置具を挿入する処置具挿入口１５が設けられているものとする。この処置具挿入口１５は、さらに挿入部１１の長手方向に設けられたチャンネルと連通しているものとする。  
上記コネクタ１４は、図１及び図７に示す装置本体３に着脱自在に装着される。  
図１及び図７においては、装置本体３にコネクタ１４を装着した状態で示しており、このように装着された状態で収納ケース６内に収納されている。
【００１１】
装置本体３にコネクタ１４が装着されているため、この第２の内視鏡２Ｂを用いて検査する場合には、簡単に使用状態に設定することができる。  
なお、第２の内視鏡２Ｂと第１の内視鏡２Ａとは、例えば挿入部１１の径、つまり挿入部の太さが、例えば第２の内視鏡２Ｂを太径、第１の内視鏡２Ａを細径と異なっているものとするが、基本的には殆ど同じ構成であるので、同一部材には同じ符号を付けて説明を省略する。  
なお、第２の内視鏡２Ｂと第１の内視鏡２Ａとについては、上述した他にも、例えば、第１の内視鏡を第２の内視鏡の予備として用いる場合、第２の内視鏡２Ｂを長尺とし、第１の内視鏡２Ａを短尺とした場合、又は処置具挿入口を有するものと、有していないものとした場合等が挙げられる。
【００１２】
つまり、第１の内視鏡２Ａと第２の内視鏡２Ｂは、挿入部１１の径などが異なる場合の他に、挿入部の長さ、処置具挿入口の有無等、異なる種類の内視鏡の組み合わせが考えられる。  
ユーザは、収納ケース６の上部側に収納される第２の内視鏡２Ｂの挿入部１１を、検査対象物、例えばジェットエンジンの内部等に挿入して、その内部に損傷箇所等があるか否かの検査を行う。  
しかし、挿入部１１が検査対象に挿入できない程度の挿入孔であった場合、１種類の内視鏡で円滑に検査を継続することができないといった場合がある。  
このような場合を想定し、本実施例では、第２の内視鏡２Ｂの径よりも細径の第１の内視鏡２Ａを同一の収納ケース６内に収納しておくことが望まれる。
【００１３】
次いで、第１の内視鏡２Ａ又は第２の内視鏡２Ｂの挿入部１１は、図２或いは図８等で示すように同じサイズで、異なる種類の内視鏡であっても共通して使用できるドラム１６に巻回することができる。  
図１１は、ドラム１６に挿入部１１を巻回保持（固定）する様子を示す。  
このドラム１６は、硬質部材、例えば樹脂製の硬質部材で形成され、この図１１に示すように中空部１６ｃを設けた円筒（又は円環）形状であって、その外周面には挿入部１１を巻回可能とする巻回部１６ａが設けられ、その両側には巻回部１６ａから半径外側に突出するフランジ部１６ｂが形成され、巻回部１６ａに巻回された挿入部１１を（この巻回部１６ａから外れないように）規制している。  
つまり、ドラム１６には、両側のフランジ部１６ｂにより凹溝形状の巻回部１６ａが形成されている。
【００１４】
また、この巻回部１６ａを形成する円筒面、換言すると凹溝底面には挿入部１１の先端部２１を保持する先端部保持部材３１が弾性を有するリボン或いはゴムバンド等により設けられている。  
そして、ユーザは、挿入部１１の先端部２１をこの先端部保持部材３１の内側に押し込む簡単な作業をすることにより、先端部２１は先端部保持部材３１の弾性力により、巻回部１６ａに弾性的に保持（固定）される。  
なお、挿入部１１には、先端部２１の後端に湾曲自在の湾曲部２２が設けられ、この湾曲部２２の後端から操作部１２の前端に至る長尺の可撓部２３が形成されている。  
そして、ユーザは、上記のように先端部２１を先端部保持部材３１により固定した後、挿入部１１をワイヤのように巻回部１６ａに巻回することにより、長尺の挿入部１１をドラム１６に簡単に巻き付ける作業を行うことができる。
【００１５】
先端部２１には、図示しない対物光学系や、この対物光学系の結像位置に配置された図示しない撮像素子が搭載されているため、上記のようにまず先端部２１をドラム１６に固定した後、挿入部１１をドラム１６に巻き付ける作業を行うと、先端部２１を周囲に当てるようなことを確実に防止できて好都合である。  
換言すると、挿入部１１の基端側から固定する作業を行う場合には、先端部２１がドラム１６の周辺で巻回の度に不定期に動かされるため、ユーザは先端部２１を周辺部に当てないように注意して巻回作業を行う必要がある。  
これに対して、本実施例のように挿入部１１の先端部２１を最初に保持する構成にしているので、ユーザはそのような注意を払うことを必要としないで、挿入部１１を簡単に巻回することができ、操作性を向上できる。  
なお、ドラム１６の中心に設けられた中空部１６ｃの内径寸法は、内視鏡保持部材４の上面に設けられたドラム保持部材（図３参照）４ｃが嵌入して保持される。
【００１６】
図７に示すようにコネクタ１４が装着される装置本体３は、挿入部１１の先端部２１に搭載された撮像素子に対する信号処理を行う図示しない信号処理回路により生成された映像信号に対応する内視鏡画像を表示装置２５に表示させると共に、図示しない駆動回路を内蔵した信号処理装置部２４により先端部２１に搭載された照明手段としての図示しない発光素子（ＬＥＤ）を駆動させる。  
表示装置部２５は、ここでは、装置本体３に設けられ、信号処理装置部２４に対してヒンジ部で回動することにより、その表示面を開閉することができる構造になっている。    図３に示すように第１の内視鏡２Ａを収納する場合に用いられる内視鏡保持部材４は、薄板形状の保持板の上面に操作部１２の一部と、コネクタ１４とを収納して緩衝的に位置決め保持する凹部４ａ、４ｂ等が設けられた緩衝部材から構成される。  
また、この保持板の上面には、挿入部１１が巻回されたドラム１６の中空部１６ｃに嵌入されてドラム１６を位置決めして緩衝的に保持する緩衝部材かなるドラム保持部材４ｃが設けられている。
【００１７】
また、保持板の両端には、この上部に内視鏡装置保持部材５の底面に当接して載置可能とする緩衝部材等かなるスペーサ４ｄが設けてある。  
なお、図３の内視鏡保持部材４の右側において上方に突出する要素は、マニュアル等を収納する収納バッグ４ｅを示す。  
図３に示すこの内視鏡保持部材４に第１の内視鏡２Ａを搭載すると、図４に示すようになる。  
そして、この内視鏡保持部材４を収納ケース６に収納すると、図５のようになる。  
図５に示す収納ケース６には、さらに図６に示す内視鏡装置保持部材５を用いて検査に使用される第２の内視鏡２Ｂ及び装置本体３を備えて形成される１組の内視鏡装置を保持した状態、つまり、図８に示す状態に設定して収納することができるようにしている。
【００１８】
図６に示す内視鏡装置保持部材５は、操作部１２の一部を収納して位置決めして緩衝的に保持する凹部５ａが設けられた操作部保持部材５ｂと、挿入部１１が巻回されたドラム１６を収納して緩衝的に保持するドラム収納部材５ｃと、装置本体３等を収納して緩衝的に保持する装置本体等保持部材５ｄと、から構成される。  
装置本体等保持部材５ｄは、装置本体３等を位置決めして緩衝的に保持する装置本体保持部５ｅと、該装置本体保持部５ｅに隣接する領域（図６右側）に形成され、図示しないバッテリ及びバッテリ充電器を収納して保持するバッテリ等保持部５ｇ（図１０）と、から構成され、それらの上部側に、スペーサに連結されて蓋状に開閉自在となるドラム収納部材５ｃ及び操作部保持部材５ｂが設けられている。
【００１９】
バッテリ等保持部５ｇは、バッテリ充電器が収納保持されるバッテリ充電器保持部５ｈと、これに隣接して図示しないバッテリが収納保持されるバッテリ保持部５ｉとから構成される（図１０）。  
装置本体等保持部材５ｄは、厚みが小さい略長方形の板状部材上における略半分の領域（図６左側）において、載置される装置本体３の４隅を位置決めして緩衝的に保持する（緩衝部材からなる）装置本体保持部５ｅが形成され、その上部側にはスペーサに連結されて蓋状に開閉自在となるドラム保持部材５ｃが設けられている。  
このドラム保持部材５ｃには、ドラム１６を収納及び取り出し自在で緩衝的に保持する収納保持ポケット５ｆが設けられている。  
また、装置本体等保持部材５ｄは、収納ケース６に対して第２の内視鏡２Ａと第１の内視鏡２Ｂを備えた内視鏡装置とを間仕切りする間仕切り部材を兼ねていると共に、第２の内視鏡２Ａを取り出す際には、第１の内視鏡２Ｂを備えた内視鏡装置一式を間仕切り板ごと収納ケース６から外すことができる。
【００２０】
図９及び図１０は、第２の内視鏡２Ｂ及び装置本体３を備えて形成される１組の内視鏡装置を図６に示す内視鏡装置保持部材５に保持し、図８の状態となった内視鏡装置保持部材５を、図５に示す収納ケース６内に収納した状態を示したものである。  
なお、収納ケース６には、図示しないが、処置具挿入口１５から挿入する処置具を保持した処置具保持部も備えているものとする。  
また、対物光学系及び発光素子を設けた光学アダプタが、挿入部１１の先端部２１に着脱自在となる内視鏡もある。  
そして、このような内視鏡の場合に対応して、収納ケース６には、特性が異なる光学アダプタ等を保持するオプション保持部も設けられている。
【００２１】
このように本実施例においては、挿入部１１を挿入して検査に必要となる１組の内視鏡装置（内視鏡と装置本体）と、それとは別の内視鏡として、例えば第１の内視鏡２Ａとを、収納ケース６に内視鏡装置収納空間と内視鏡収納空間とを備えることで、持ち運び性も損なうことなく、一つの収納ケース６内に収納することを可能にしている。  
ユーザは、この収納ケース６を用いることにより、使用環境又は検査対象を想定した種類の異なる内視鏡も同時に携帯できるので、本来使用予定の内視鏡では円滑に検査を行いにくい場合においても、予定の検査を支障なく、行えるようになる。  
また、本実施例における内視鏡収納ケースを用いた内視鏡システム１においては、収納ケース６の上部側に検査に必要な第２の内視鏡２Ｂ及び装置本体３を収納しているので、通常は収納ケース６を開けると、ユーザは、この内視鏡２Ｂ及び装置本体３を収納ケース６から取り出して検査に使用する。
【００２２】
しかしながら、第２の内視鏡２Ｂでは対処できないような場合、例えばその挿入部１１では挿入作業等に手間取るような（細くなっている検査部位の）場合には、間仕切り部材を兼ねる装置本体等保持部材５ｄごと内視鏡２Ｂ及び装置本体３を収納ケース６から取り外すことで、その下側に形成した内視鏡収納空間に収納されている外径がより細い挿入部１１を有する第１の内視鏡２Ａを取り出して使用することができ、検査を円滑に継続することができる。  
また、最初から外径が細い挿入部１１を有する第１の内視鏡２Ａを用いることもできるが、挿入部１１が細いと、太い挿入部１１の場合に比較して、照明光量や撮像素子による解像度が低下する場合がため、検査対象物に応じた外径などの挿入部１１を有する内視鏡を採用した方が検査を行い易い。  
また、検査する部位によっては、より太い挿入部であっても、照明光量を上げたい場合もあり、そのような場合、細径の挿入部の内視鏡とは別に、太径の挿入部の内視鏡を携帯するようにしても良い。
【００２３】
このように本実施例によれば、１組の内視鏡装置と共に、その内視鏡装置を構成する内視鏡の挿入部１１の外径や挿入部長などが異なる等、使用環境又は検査対象によって想定される内視鏡を予め収納ケース６に収納して持ち運ぶことが容易にできる。  
図１２は上述した内視鏡収納ケースに第１の内視鏡を収納するスペースを除いた第２の収納ケースを示したものである。  
図１２に示す第２の収納ケース６Ｂは、上述した収納ケース６よりも深さ（又は厚み）方向のみの寸法が小さい、つまり収納部７ａの深さをより小さくした収納部７ａ′を有する第２の収納ケース６Ｂを備えた構成である。  
具体的には、収納ケース６のケース本体７ｂにおける厚みをＤとし、第２の収納ケース６Ｂのケース本体７ｂ′における厚みをＤ′とすると、この厚みＤ′は、厚みＤよりも内視鏡保持部材４のスペーサ４ｄだけ小さい寸法となっている。
【００２４】
つまり、この第２の収納ケース６Ｂは、収納ケース６に比較して、少なくとも第１の内視鏡２Ａを収納するために必要な収納部分のない収納部７ａ′となっている。  
なお、上蓋７ｃ側は、両者において共通のサイズである。  
本発明の内視鏡収納ケースでは、内視鏡装置保持部材としての間仕切り板により第２の内視鏡２Ｂを備えた内視鏡装置が収納ケース６から容易に取り外すことができることから、１組の内視鏡装置（内視鏡と装置本体）のみ持ち運ぶ場合のよう必要に応じて図１２に示す第２の収納ケース６Ｂに移し替えることができる。  
なお、本発明は、上述した実施の形態に限られるものではなく、発明の趣旨を逸脱しない範囲で種々変形可能である。  
たとえば、上述した実施の形態では、挿入部の収納にドラムを使用していたが、これに限られるものではなく、巻回できるものであれば、筒状のものでなくてもよく、また外周に巻く以外、内周に挿入部が押し付けられるように巻回収納するようなものであってもよい。
【産業上の利用可能性】
【００２５】
収納ケースを携帯移動し、パイプ内部やジェットエンジン内部等に挿入部を挿入して検査する。
【図面の簡単な説明】
【００２６】
【図１】図１は本発明の実施例１の内視鏡収納ケースを用いた内視鏡システムの全体構成を示す斜視図。
【図２】図２は第１の内視鏡の挿入部をドラムに巻回した状態で示す斜視図。
【図３】図３は第１の内視鏡が保持される内視鏡保持部材を示す斜視図。
【図４】図４は図２の第１の内視鏡を保持した状態の内視鏡保持部材を示す斜視図。
【図５】図５は図４の第１の内視鏡を保持した内視鏡保持部材を収納した収納状態を示す斜視図。
【図６】図６は第２の内視鏡及び装置本体が保持される内視鏡装置保持部材を示す斜視図。
【図７】図７は装置本体を第２の内視鏡の一部と共に示す斜視図。
【図８】図８は第２の内視鏡及び装置本体を保持した状態の内視鏡装置保持部材を示す斜視図。
【図９】図９は図５に示す第１の内視鏡を保持した内視鏡保持部材の収納状態で、さらに図８の内視鏡装置保持部材を収納した収納状態を示す斜視図。
【図１０】図９において操作部保持部材とドラム収納保持部材とを回動させた状態を示す斜視図。
【図１１】図１１はドラムに挿入部を巻回する様子を示す斜視図。
【図１２】図１２は本発明の実施例２の内視鏡システムにおける第２の収納ケースを、この収納ケースに収納される内視鏡装置保持部材と共に示す斜視図。
【符号の説明】
【００２７】
１…内視鏡システム、２Ａ…第１の内視鏡、２Ｂ…第２の内視鏡、３…装置本体、４…内視鏡保持部材、５…内視鏡装置保持部材、５ｂ…操作部保持部材、５ｃ…ドラム保持部材、５ｄ…装置本体等保持部材、５ｅ…装置本体保持部、６…収納ケース、６Ｂ…第２の収納ケース、７ａ…収納部、７ｂ…ケース本体、１１…挿入部、１２…操作部、１４…コネクタ、１６…ドラム、１６ａ…巻回部、２１…先端部、２２…湾曲部、２４…信号処理装置部、２５…表示装置部、３１…先端部保持部材
【図１】
2010022662.tif 000003
【図２】
2010022662.tif 000004
【図３】
2010022662.tif 000005
【図４】
2010022662.tif 000006
【図５】
2010022662.tif 000007
【図６】
2010022662.tif 000008
【図７】
2010022662.tif 000009
【図８】
2010022662.tif 000010
【図９】
2010022662.tif 000011
【図１０】
2010022662.tif 000012
【図１１】
2010022662.tif 000013
【図１２】
2010022662.tif 000014